(57)【要約】【課題】フレーム伝送方式等の伝送方式は維持しながらもノイズ耐性が向上するよう受信回路を改良する。【解決手段】鉄道用の伝送回線３０に接続されるとそれを介して電文伝送を行う送信回路および受信回路７０を備え、送信回路が電文送信に際して電文送受信の合間に休止期間をとるフレーム伝送方式のものであり、受信回路７０が受信開始タイミングＳの後に一定周期ｔで受信信号Ｃのサンプリングを繰り返すことにより電文受信を行うようになっているＣＴＣ用伝送回路４２において、受信信号Ｃにおける受信開始直後のパルスの幅Ｗを調べてこのパルス幅Ｗが一定周期ｔに満たないときにはリセット信号Ｒを出して受信状態をリセットするパルス幅確認回路７１を受信回路６０に設ける。【選択図】        図１
2007145100.tif 000002
【特許請求の範囲】
【請求項１】
鉄道用の伝送回線に接続されるとそれを介して電文伝送を行う送信回路および受信回路を備え、前記送信回路が電文送信に際して電文送受信の合間に休止期間をとるフレーム伝送方式のものであり、前記受信回路が受信開始後に一定周期で受信信号のサンプリングを繰り返すことにより電文受信を行うようになっているＣＴＣ用伝送回路において、前記受信信号における受信開始直後のパルスの幅を調べてこのパルス幅が前記一定周期に満たないときには受信状態をリセットするパルス幅確認回路を前記受信回路に設けたことを特徴とするＣＴＣ用伝送回路。
【請求項２】
鉄道用の伝送回線に接続されるとそれを介してバイフェーズ伝送方式で電文伝送を行う送信回路および受信回路を備え、前記送信回路が電文送信に際して電文送受信の合間に休止期間をとるフレーム伝送方式のものであり、前記受信回路が受信開始後に一定周期で受信信号のサンプリングを繰り返すことにより電文受信を行うようになっているＣＴＣ用伝送回路において、前記受信信号に係る周波数を調べてこの検出周波数が前記バイフェーズ伝送方式に基づく規定周波数から外れているときには受信状態をリセットする周波数確認回路を前記受信回路に設けたことを特徴とするＣＴＣ用伝送回路。
【発明の詳細な説明】
【技術分野】
【０００１】
この発明は、鉄道用のＣＴＣ装置（列車集中制御装置）のＣＴＣ中央装置やＣＴＣ駅装置に組み込まれるＣＴＣ用伝送回路に関する。
【背景技術】
【０００２】
鉄道の列車運行管理システムでは（図４参照）、線区単位でＣＴＣ装置すなわち列車集中制御装置を設置し、その情報伝送機能を基礎として、ダイヤ管理等を行う情報処理系（ＥＤＰ）や、自動進路制御等を行う進路制御系（ＰＲＣ）が構築されている（例えば非特許文献１の第２頁〜第５頁を参照）。ＣＴＣ装置（列車集中制御装置）は、ＣＴＣセンタに設置されたＣＴＣ中央装置と、各駅に分散して設置された多数のＣＴＣ駅装置と、ＣＴＣセンタと各駅とに亘って敷設されＣＴＣ中央装置とＣＴＣ駅装置とを情報伝送可能に繋ぐ通信ケーブル（伝送線、伝送回線）とを含むシステムである（例えば非特許文献１の第１１頁〜第１５頁を参照、特に第１５頁の図２−７を参照）。
【０００３】
ＣＴＣ装置の上位に位置する情報処理系や進路制御系のコンピュータと表示制御盤とシステム監視装置は、ＬＡＮ（Local Area Network）等からなる中央ループを介して、ＣＴＣ中央装置と通信可能に接続されている（例えば非特許文献１の第３頁の図１−３を参照）。一方、ＣＴＣ装置の下位に位置する信号機や電気転てつ機は、連動装置を介して、該当する駅のＣＴＣ駅装置と間接的に接続され、動作制御を受けるようになっている。軌道回路も連動装置を介してＣＴＣ駅装置と接続されており、駅等への列車の進入状況もＣＴＣ装置で把握できるようになっている（例えば非特許文献１の第１１頁の図２−２や第３５頁の図２−３０を参照）。このようなＣＴＣ装置には１形から６形まで各種の伝送方式が規格化されているが（例えば非特許文献１の第８頁の表２−１を参照）、在来線では６形が主流なので、以下、６形を具体例にして、説明を進める。
【０００４】
６形のＣＴＣ装置１０は（図５（ａ）参照）、規定のバイフェーズ伝送方式に対応しているＣＴＣ中央装置２０と、同じ伝送方式に対応している通信ケーブル３０と、各駅に分散して設置された複数・多数のＣＴＣ駅装置４０とを具えている。通信ケーブル３０には、より対線からなる伝送線が一つだけ含まれていることが多いが、複数含まれることもある。また、各ＣＴＣ駅装置４０には、通信ケーブル３０を接続するためのコネクタ４１と、通信ケーブル３０を介してＣＴＣ中央装置２０と通信するため同じバイフェーズ伝送方式に対応しているバイフェーズ伝送回路４２と、外部の連動装置５０に対するインターフェイス部である入出力ユニット４４と、ＣＴＣ中央装置２０から通信ケーブル３０とコネクタ４１とバイフェーズ伝送回路４２を介して指令を受けその指令に基づき入出力ユニット４４を介して連動装置５０に対する制御を行う論理回路４３とが設けられている。
【０００５】
論理回路４３は、マイクロプロセッサ（ＭＰＵ）が利用できるようになった時期に上記の伝送方式が規定されたので、マイクロプロセッサシステムを主体にしたデジタル回路で構成され、プログラム組込可能なものとなっており、そのプログラムにて上記の標準機能すなわち指令受信や制御を実行するようになっている。
バイフェーズ伝送回路４２は、送受信データをバイフェーズ符号でコード化して２４００ｂｐｓ（ビット／秒）で送受するものである（例えば非特許文献１の第２４頁〜第２５頁を参照）。
連動装置５０には継電連動装置や電子連動装置があるが、連動装置５０は入出力ユニット４４を介して受けた制御信号等に従って信号機や電気転てつ機の動作制御を行うようになっている。
【０００６】
このようなＣＴＣ装置１０において鉄道用伝送回線をなす通信ケーブル３０を介して伝送される電文は（図５（ｂ）参照）、種別や駅番号を含んだヘッダー部分と、動作指令などのコマンドや連絡情報などのデータ等を含んだデータ部分と、図示しないＣＲＣ等の冗長部分とからなる可変長のものである。本明細書では、電文が伝送されているときの信号レベル・伝送レベルを電文レベルと呼び、電文が伝送されていないときの電圧レベル・伝送レベルをノイズレベルと呼ぶ。ＣＴＣ中央装置２０もＣＴＣ駅装置４０も、電文送信を規定の出力レベルで正常な通信ケーブル３０に対して行えば、規定の入力レベルで電文受信することができるようになっている。６形で規定されている出力レベルは０．７７Ｖ以上であり、同じく入力レベルは０．０４３Ｖ以上である。
【０００７】
鉄道用伝送回線の規格に則って（図５（ｃ）参照）、具体的にはフレーム伝送方式に則って、伝送装置であるＣＴＣ中央装置２０やＣＴＣ駅装置４０による伝送は時分割で行われるため、電文の送受信の間には、電文伝送波形の無い時間すなわち休止期間が存在する。また、何れかの伝送装置２０，４０が送信した電文は通信ケーブル３０に接続された総ての伝送装置２０，４０に届くので、自装置（自局）向けばかりか自装置とは関係の無い他の伝送装置（他局）宛ての電文も受信することとなる。例えば、ＣＴＣ中央装置２０がＣＴＣ駅装置４０のうち駅装置Ａにポーリングして、この駅装置Ａが応答し、次にＣＴＣ中央装置２０がＣＴＣ駅装置４０のうち駅装置Ｂにポーリングして、この駅装置Ｂが応答した場合、それらの送受信の電文が休止期間を挟んで順に通信ケーブル３０で伝送される（図５（ｃ）参照）。
【０００８】
このバイフェーズ伝送回路４２（ＣＴＣ用伝送回路）を詳述すると（図６（ａ）参照）、鉄道用の通信ケーブル３０（伝送回線）に接続されるとそれを介してバイフェーズ伝送方式で電文伝送を行う送信回路４２ｄおよび受信回路６０と、受信信号を次の伝送装置へ中継するために受信信号Ｃの波形を整え直してＯＲ回路４２ｃへ送出する再生中継回路４２ａと、受信信号Ｃが自装置向けポーリングの場合に応答電文の表示コード等を作成してＯＲ回路４２ｃへ送出する表示コード作成回路４２ｂと、再生中継回路４２ａからの中継信号と表示コード作成回路４２ｂからの応答信号とを送信回路４２ｄに入力させるＯＲ回路４２ｃとが具わっている。
【０００９】
また、送信回路４２ｄは、フレーム伝送方式のものであり、上述したように電文送信に際して電文送受信の合間に休止期間をとるようになっている。
さらに、受信回路６０は、バイフェーズ符号の受信信号を復調して二値のデジタル受信信号Ｃを生成する復調回路６１と、受信カウンタを有してカウント値を進めることにより開始タイミングＳやその後のサンプリングタイミングの信号を生成する同期回路６２と、そのタイミングで受信信号Ｃを順にサンプリングして保持する受信レジスタ６３とを具えている。
【００１０】
このような受信回路６０では、受信開始後に一定周期で受信信号のサンプリングが繰り返えされて電文受信が行われる。すなわち（図６（ｂ）参照）、先行電文の送受信の後には信号の無い休止期間が確保されるが、その休止期間中や後に受信信号Ｃが変化すると復調回路６１によって受信信号Ｃが生成されるとともに同期回路６２によって開始タイミングＳやサンプリングタイミングの信号が生成される。サンプリングの一定周期を時間ｔとすると、開始タイミングＳの直後は半分の時間（ｔ／２）が経過したときに先頭１ビットのサンプリングがなされ、その後は時間ｔ毎に１ビットのサンプリングが繰り返される。そして、電文長で指定されたビット数だけサンプリングしたとき、受信電文が受信レジスタ６３に完成し、一電文の受信処理が終了する。
【００１１】
【特許文献１】特開２００５−２９００９号公報
【非特許文献１】「鉄道技術者のための電気概論  信号シリーズ６  ＣＴＣ・ＰＲＣ  三版」（社）日本鉄道電気技術協会、平成８年２月２０日、ｐ．１−７３
【発明の開示】
【発明が解決しようとする課題】
【００１２】
このような従来のＣＴＣ用伝送回路では、伝送レベルがノイズレベルに収まっていれば休止期間とされ、休止期間中に伝送レベルが電文レベルに上がれば送受信が始まったとされるため、受信開始タイミングＳが容易に分かり、回路構成も簡素になる。
しかしながら、休止期間中に発生したノイズＮのレベルがノイズレベルを超えて電文レベルに達すると（図６（ｃ）参照）、例えノイズＮの幅が小さくとも、その始端に同期して受信開始タイミングＳが生成されるため、受信の同期が正しくとれずに、適切な受信を行うことができない。また、そのような同期ずれが起こると、中継駅（中継局，再生中継回路）で具体的には再生中継回路４２ａで異常な電文が再生されてしまうことがある。
そこで、規格に則ったフレーム伝送方式等の伝送方式は維持しながらもノイズ耐性が向上するよう受信回路を改良することが技術的な課題となる。
【課題を解決するための手段】
【００１３】
本発明のＣＴＣ用伝送回路は（解決手段１）、このような課題を解決するために創案されたものであり、鉄道用の伝送回線に接続されるとそれを介して電文伝送を行う送信回路および受信回路を備え、前記送信回路が電文送信に際して電文送受信の合間に休止期間をとるフレーム伝送方式のものであり、前記受信回路が受信開始後に一定周期で受信信号のサンプリングを繰り返すことにより電文受信を行うようになっているＣＴＣ用伝送回路において、前記受信信号における受信開始直後のパルスの幅を調べてこのパルス幅が前記一定周期に満たないときには受信状態をリセットするパルス幅確認回路を前記受信回路に設けたことを特徴とする。
【００１４】
また、本発明のＣＴＣ用伝送回路は（解決手段２）、鉄道用の伝送回線に接続されるとそれを介してバイフェーズ伝送方式で電文伝送を行う送信回路および受信回路を備え、前記送信回路が電文送信に際して電文送受信の合間に休止期間をとるフレーム伝送方式のものであり、前記受信回路が受信開始後に一定周期で受信信号のサンプリングを繰り返すことにより電文受信を行うようになっているＣＴＣ用伝送回路において、前記受信信号に係る周波数を調べてこの検出周波数が前記バイフェーズ伝送方式に基づく規定周波数から外れているときには受信状態をリセットする周波数確認回路を前記受信回路に設けたことを特徴とする。
【発明の効果】
【００１５】
このような本発明のＣＴＣ用伝送回路にあっては、伝送レベルがノイズレベルを超えて電文レベルに達するようなノイズが休止期間中に発生した場合でも、解決手段１ではパルス幅が一定周期に満たないような短期間のノイズであれば、また解決手段２では検出周波数がバイフェーズ伝送方式に基づく規定周波数から外れているような規定外周波数のノイズであれば、受信状態がリセットされて、受信開始タイミングの生成や受信の同期とりが遣り直されるので、ノイズを無視して、正規の受信信号を適切なタイミングでサンプリングすることができる。
【発明を実施するための最良の形態】
【００１６】
このような本発明のＣＴＣ用伝送回路について、これを実施するための具体的な形態を、以下の実施例１〜３により説明する。
図１に示した実施例１は、上述した解決手段１（出願当初の請求項１）を具現化したものであり、図２に示した実施例２は、上述した解決手段２（出願当初の請求項２）を具現化したものであり、図３に示した実施例３は、上述した解決手段１〜２を同時に実施したものである。
なお、それらの図示に際し従来と同様の構成要素には同一の符号を付して示したので、また、それらについて背景技術の欄で述べたことは以下の各実施例についても共通するので、重複する再度の説明は割愛し、以下、従来との相違点を中心に説明する。
【実施例１】
【００１７】
本発明のＣＴＣ用伝送回路の実施例１について、その具体的な構成を、図面を引用して説明する。図１（ａ）は、要部のブロック図である。
【００１８】
この図１（ａ）のバイフェーズ伝送回路（ＣＴＣ用伝送回路４２）が既述した図６（ａ）の従来回路と相違するのは、受信回路６０がパルス幅確認回路７１とＡＮＤ回路７２を追加されて受信回路７０になった点である。
それに伴って、同期回路６２や受信レジスタ６３は、パルス幅確認回路７１のリセット信号Ｒを受けるよう僅かに改造されているが、そのリセット以外は既述した従来のままである。また、復調回路６１は既述した従来のまま残っている。さらに、既述した再生中継回路４２ａや表示コード作成回路４２ｂに加えて、図からはみ出たＯＲ回路４２ｃや送信回路４２ｄも、既述した従来のまま残っている。
【００１９】
パルス幅確認回路７１は、復調回路６１で復調されて二値のデジタル信号になった受信信号Ｃにおける受信開始直後のパルスの幅を調べてこの先頭パルスのパルス幅Ｗがサンプリングタイミング一定周期の時間ｔに満たないときには受信状態をリセットするものである。受信信号Ｃのパルス幅Ｗを調べるために、パルス幅確認回路７１は、復調回路６１出力の受信信号Ｃと入力同期回路６２出力の受信開始タイミングＳとを入力して、受信開始タイミングＳが出力される又は有意（ＯＮ）になると、時間ｔより可成り短い時間（例えばｔ／８やｔ／１６）毎に受信信号Ｃの値をチェックして、同じ値が継続している時間を計測するようになっている。
【００２０】
また、その計測で得たパルス幅Ｗが時間ｔにほぼ等しいかそれ以上になっていれば、正常な信号を受信したものと判定して、リセット信号Ｒを出力しない又は有意にしない（ＯＦＦ）が、パルス幅Ｗが時間ｔに満たないときには、ノイズを受信したと判定して、リセット信号Ｒを出力する又は有意（ＯＮ）にする。このリセット信号Ｒは同期回路６２と受信レジスタ６３とＡＮＤ回路７２とに送出されるようになっている。
ＡＮＤ回路７２は、受信信号Ｃとリセット信号Ｒとを入力として、リセット信号Ｒの出力されないとき又は有意でない（ＯＦＦ）ときには受信信号Ｃを再生中継回路４２ａへ送出し、リセット信号Ｒの出力されたとき又は有意（ＯＮ）のときには再生中継回路４２ａへの受信信号Ｃの送出を抑制するようになっている。
【００２１】
この実施例１のバイフェーズ伝送回路（ＣＴＣ用伝送回路４２）について、その使用態様及び動作を、図面を引用して説明する。図１（ｂ）は、ノイズの無い復調後の受信信号Ｃの波形例、（ｃ）がノイズＮの有る復調後の受信信号Ｃの波形例である。
【００２２】
受信信号Ｃにノイズが無い場合（図１（ｂ）参照）、受信回路７０では、休止期間中には受信開始タイミングＳが生成されることが無く、休止期間後に電文を受信したときに復調回路６１によって受信信号Ｃが生成されるとともに同期回路６２によって開始タイミングＳやサンプリングタイミングの信号が生成される。その際、開始タイミングＳの直後は半分の時間（ｔ／２）が経過したときに１ビットのサンプリングがなされ、その後は時間ｔ毎に１ビットのサンプリングが繰り返される。そこまでは従来と同じであるが、受信回路７０では、従来と異なり、パルス幅確認回路７１によって更に受信信号Ｃの先頭パルスのパルス幅Ｗが調べられる。もっとも、この場合は、パルス幅Ｗがサンプリング一定周期の時間ｔに達しているので、従来同様、電文長で指定されたビット数だけサンプリングが継続されて、受信電文が受信レジスタ６３に完成し、一電文の受信処理が終了する。
【００２３】
これに対し、受信信号ＣにノイズＮが重畳した場合（図１（ｃ）参照）、ノイズＮのパルス幅Ｗが時間ｔより小さければ、次のようにして、そのノイズＮが無視される。すなわち、受信回路７０でも、休止期間中にノイズＮが受信信号Ｃに重畳すると、その始端で受信開始タイミングＳが生成されて、一旦は受信信号Ｃのサンプリング処理が開始されるが、受信回路７０では、サンプリングが無条件に継続されるのでなく、受信開始タイミングＳ直後のパルス幅Ｗが調べられ、このパルス幅Ｗが時間ｔに満たないので、パルス幅確認回路７１から同期回路６２や受信レジスタ６３へリセット信号Ｒが送出されるため、ノイズＮは無視されて受信されない。リセット信号Ｒを受けたＡＮＤ回路７２によって誤再生も回避される。そして、休止期間後に正規の電文を受信すると、上述したようにして、それを受信することができる。
【実施例２】
【００２４】
本発明のＣＴＣ用伝送回路の実施例２について、その具体的な構成を、図面を引用して説明する。図２（ａ）は、要部のブロック図である。
この図２（ａ）のバイフェーズ伝送回路（ＣＴＣ用伝送回路４２）が上述した実施例１のものと相違するのは受信回路７０が一部改造されて受信回路８０になった点であり、受信回路８０が上述の受信回路７０と相違するのは、パルス幅確認回路７１に代えて周波数確認回路８２が導入された点と、同期回路６２に代えて同期回路８１が導入された点である。
【００２５】
同期回路６２は、復調回路６１の出力する受信信号Ｃでなく、復調回路６１の入力する受信信号Ｄを入力するようになっているが、それ以外の構成や機能は同期回路６２と同じであり、受信カウンタを有してカウント値を進めることにより開始タイミングＳやその後のサンプリングタイミングの信号を生成するようになっている。
周波数確認回路８２は、バイフェーズ符号の波形の受信信号Ｄについてそれに係る周波数を調べて、この検出周波数がバイフェーズ伝送方式に基づく規定周波数に合致しているときには、正常な信号を受信したものと判定してリセット信号Ｒを出力しない又は有意にしない（ＯＦＦ）が、その検出周波数がバイフェーズ伝送方式に基づく規定周波数から外れているときには、ノイズを受信したと判定して、リセット信号Ｒを出力する又は有意（ＯＮ）にすることで、受信状態をリセットするようになっている。
【００２６】
周波数確認回路８２による受信信号Ｄの周波数検出は、例えば、伝送レベルに関してノイズレベルと電文レベルとを分ける閾値で単純に受信信号Ｄを二値化しても良く、その場合は、バイフェーズ伝送方式の基本周波数が既述の如く２４００Ｈｚであれば、バイフェーズ伝送方式に基づく規定周波数も２４００Ｈｚとなる。あるいは、受信信号Ｄからバイフェーズ伝送方式での位相変調による位相変動を除去するとともに正負いずれか一方のノイズでも検出可能にするために、受信信号Ｄを全波整流してから上記閾値で二値化するのでも良い。この場合、例えばバイフェーズ伝送方式の基本周波数が既述の如く２４００Ｈｚであれば、バイフェーズ伝送方式に基づく規定周波数は４８００Ｈｚとなる。何れの場合も、二値化後のパルス数を所定時間だけ計ったり或いは二値化後のパルス周期を計測して逆数を算出する等のことで、受信信号Ｄに係る周波数たとえば２４００Ｈｚや４８００Ｈｚを検知することができる。
【００２７】
この実施例２のバイフェーズ伝送回路（ＣＴＣ用伝送回路４２）について、その使用態様及び動作を、図面を引用して説明する。図２（ｂ）は、ノイズＮの重畳している復調前の受信信号Ｄの波形例、（ｃ）がノイズＮの重畳している復調後の受信信号Ｃの波形例である。
【００２８】
受信信号Ｄに対して休止期間中にノイズＮが重畳した場合（図２（ｂ）参照）、受信信号Ｄの検出周波数がバイフェーズ伝送方式に基づく規定周波数と異なっていれば、次のようにして、そのノイズＮが無視される。すなわち、受信回路８０でも、休止期間中にノイズＮが受信信号Ｄに重畳し更にそれがパルスになって受信信号Ｃに重畳すると（図２（ｃ）参照）、その始端で受信開始タイミングＳが生成されて、一旦は受信信号Ｃのサンプリング処理が開始されるが、受信回路８０では、受信信号Ｄに係る周波数が調べられ、この検出周波数が規定周波数から外れているので、周波数確認回路８２から同期回路８１や受信レジスタ６３へリセット信号Ｒが送出されるため、例えパルス幅が時間ｔより長いノイズであっても、ノイズＮは無視されて受信されない。リセット信号Ｒを受けたＡＮＤ回路７２によって誤再生も回避される。そして、休止期間後に正規の電文を受信すると、次のようにして、それを受信することができる。
【００２９】
休止期間後に正規の電文を受信したとき（図２（ｂ），（ｃ）参照）、受信回路８０では、復調回路６１によって受信信号Ｃが生成されるとともに同期回路８１によって開始タイミングＳやサンプリングタイミングの信号が生成される。その際、開始タイミングＳの直後は半分の時間（ｔ／２）が経過したときに１ビットのサンプリングがなされ、その後は時間ｔ毎に１ビットのサンプリングが繰り返される。受信回路８０では、周波数確認回路８２によって更に受信信号Ｄに係る周波数が調べられるが、この場合は、その検出周波数がバイフェーズ伝送方式に基づく規定周波数に合致しているので、電文長で指定されたビット数だけサンプリングが継続されて、受信電文が受信レジスタ６３に完成し、一電文の受信処理が終了する。
【実施例３】
【００３０】
図３に要部回路のブロック図を示した本発明のＣＴＣ用伝送回路は、上述した実施例１，２双方の特徴を取り入れたものであり、その受信回路９０は、受信回路８０にパルス幅確認回路７１とＯＲ回路９１とを付加したものとなっている。
パルス幅確認回路７１と周波数確認回路８２との何れか一方または双方からリセット信号が出力されるとＯＲ回路９１からリセット信号Ｒが出力され、このリセット信号Ｒが受信レジスタ６３とＡＮＤ回路７２と同期回路８１に送られるようになっている。
【００３１】
この場合、パルス幅確認回路７１の働きによって、休止期間中のノイズのうちパルス幅が一定周期に満たないような短期間のノイズが無視されるとともに、周波数確認回路８２の働きによって、休止期間中のノイズのうち検出周波数がバイフェーズ伝送方式に基づく規定周波数から外れているような規定外周波数のノイズが無視される。
そのため、フレーム伝送方式およびバイフェーズ伝送方式という伝送方式は維持していても、ノイズ耐性は格段に向上している。
【００３２】
［その他］
パルス幅確認回路７１がパルス幅Ｗの異常を検出確認したときや，周波数確認回路８２が受信信号Ｄの周波数異常を検出確認したとき、上記実施例ではリセット信号Ｒにて受信回路７０，８０がリセットされるようになっていたが、そのような異常が何回か連続して検出確認されたようなときには、適宜な情報表示がなされるようにしても良く、別に設けたリレー等を動作させて回線異常を外部に出力できるようにしても良い。また、そのような場合、回線品質が大幅に悪化していることが推察されるので、中継機能をカットするのも良い。
【図面の簡単な説明】
【００３３】
【図１】本発明の実施例１について、ＣＴＣ用伝送回路の構造と動作状態を示し、（ａ）が要部のブロック図、（ｂ）がノイズの無い復調後の信号の波形例、（ｃ）がノイズの有る復調後の信号の波形例である。
【図２】本発明の実施例２について、ＣＴＣ用伝送回路の構造と動作状態を示し、（ａ）が要部のブロック図、（ｂ）が復調前の信号の波形例、（ｃ）が復調後の信号の波形例である。
【図３】本発明の実施例３について、ＣＴＣ用伝送回路の構造を示す要部ブロック図である。
【図４】列車運行管理システムの概要ブロック図である。
【図５】（ａ）がＣＴＣ装置のブロック図、（ｂ）が一電文の波形例、（ｃ）が交信電文の波形例である。
【図６】従来のＣＴＣ用伝送回路の構造と動作状態を示し、（ａ）がブロック図、（ｂ）がノイズの無い復調後の信号の波形例、（ｃ）がノイズの有る復調後の信号の波形例である。
【符号の説明】
【００３４】
１０…ＣＴＣ装置（列車集中制御装置）、２０…ＣＴＣ中央装置、
３０…通信ケーブル（伝送線，伝送回線）、４０…ＣＴＣ駅装置、
４１…コネクタ、４２…バイフェーズ伝送回路（ＣＴＣ用伝送回路）、
４２ａ…再生中継回路、４２ｂ…表示コード作成回路、４２ｃ…ＯＲ回路、
４２ｄ…送信回路、４３…論理回路、４４…入出力ユニット、５０…連動装置、
６０…受信回路、６１…復調回路、６２…同期回路、６３…受信レジスタ、
７０…受信回路、７１…パルス幅確認回路（ノイズ検知部）、７２…ＡＮＤ回路、
８０…受信回路、８１…同期回路、８２…周波数確認回路（ノイズ検知部）、
９０…受信回路、９１…ＯＲ回路、Ｃ…受信信号、Ｄ…受信信号、
Ｎ…ノイズ、Ｓ…開始タイミング、ｔ…時間、Ｗ…パルス幅
【図１】
2007145100.tif 000003
【図２】
2007145100.tif 000004
【図３】
2007145100.tif 000005
【図４】
2007145100.tif 000006
【図５】
2007145100.tif 000007
【図６】
2007145100.tif 000008